(57)【要約】【課題】電圧検出装置の接続異常を確実に検出するとともに、組み替え工数を大幅に削減して電圧検出作業を迅速且つ効率的に遂行することを可能にする。【解決手段】電圧検出部６２の電圧検出用端子６６を第２金属セパレータ２６の端子接続部２８に接触させた状態で、アノード側電極３８に不活性ガスを供給する一方、カソード側電極４０に空気を供給する工程と、前記電圧検出部６２により発電セル１４の開回路電圧を検出する工程と、検出された前記開回路電圧の異常の有無から前記検出端子６６の接続異常の有無を検出する工程とを有する。【選択図】図４
2005183308.tif 000002
【特許請求の範囲】
【請求項１】
電解質膜の両側にアノード側電極とカソード側電極を設けた電解質膜・電極構造体が、セパレータにより挟持された発電セルを備える燃料電池に配設され、セル電圧を検出する電圧検出装置において、前記セパレータに接触する検出端子の接続異常を検出する方法であって、
前記検出端子を前記セパレータに接触させた状態で、前記アノード側電極に不活性ガスを供給する一方、前記カソード側電極に空気を供給する工程と、
前記電圧検出装置により前記発電セルの開回路電圧を検出する工程と、
検出された前記開回路電圧の異常の有無から前記検出端子の接続異常の有無を検出する工程と、
を有することを特徴とする燃料電池用電圧検出装置の接続異常検出方法。
【請求項２】
請求項１記載の接続異常検出方法において、検出された前記開回路電圧の少なくとも１つが設定電圧以下である際、異常であると判定することを特徴とする燃料電池用電圧検出装置の接続異常検出方法。
【請求項３】
請求項１記載の接続異常検出方法において、検出された前記開回路電圧が所定の時間内に所定の電圧値以下になる際、異常であると判定することを特徴とする燃料電池用電圧検出装置の接続異常検出方法。
【請求項４】
電解質膜の両側にアノード側電極とカソード側電極を設けた電解質膜・電極構造体が、セパレータにより挟持された発電セルを備える燃料電池の異常検出方法であって、
前記アノード側電極に不活性ガスを供給する一方、前記カソード側電極に空気を供給しながら、前記発電セルの開回路電圧を検出することにより、該発電セルの異常の有無を検出することを特徴とする燃料電池の異常検出方法。
【発明の詳細な説明】
【技術分野】
【０００１】
本発明は、電解質膜の両側にアノード側電極とカソード側電極を設けた電解質膜・電極構造体が、セパレータにより挟持された発電セルを備える燃料電池の電圧を検出する燃料電池用電圧検出装置の接続異常検出方法及び燃料電池の異常検出方法に関する。
【背景技術】
【０００２】
例えば、固体高分子型燃料電池は、高分子イオン交換膜からなる固体高分子電解質膜を採用している。この燃料電池は、固体高分子電解質膜の両側に、それぞれ電極触媒と多孔質カーボンからなるアノード側電極及びカソード側電極を対設して構成される電解質膜・電極構造体を、セパレータ（バイポーラ板）によって挟持している。
【０００３】
この燃料電池において、アノード側電極に供給された燃料ガス、例えば、主に水素を含有するガス（以下、水素含有ガスともいう）は、電極触媒上で水素がイオン化され、電解質膜を介してカソード側電極側へと移動する。その間に生じた電子は外部回路に取り出され、直流の電気エネルギとして利用される。
【０００４】
この種の燃料電池は、所望の発電性能を有しているか否かを検出するために、通常、電圧検出装置を用いてセル電圧を検出することが行われている。例えば、特許文献１には、燃料電池のセル電圧検出構造が開示されている。
【０００５】
この特許文献１は、図７に示すように、複数の単セル１が積層された燃料電池スタック２を備えており、各単セル１は、電解質膜３を一対の電極４で挟持し、さらにその外側を一対のセパレータ５で挟持することにより構成されている。セパレータ５は、角部に面取り部５ａを設けており、隣接する２つのセパレータ５の面取り部５ａ同士が対向することにより、Ｖ溝６が形成されている。
【０００６】
各単セル１のセパレータ５には、セル電圧を検出するための端子７が各Ｖ溝６に挿入されて接触している。この状態で、燃料電池スタック２に燃料ガス及び酸化剤ガスが供給されて発電が行われることにより、各単セル１のセル電圧が端子７により検出され、前記単セル１が正常に動作しているか否かの検査がなされている。
【０００７】
一方、特許文献２には、膜電極構造体を挟持するプレス成形されたセパレータを備える燃料電池の電圧検出構造が開示されている。
【０００８】
この特許文献２では、図８に示すように、プレス成形された金属製のセパレータ８に端子接続部９が設けられており、この端子接続部９は、周縁側に凹部９ａが形成されるとともに、この凹部９ａの内側が凸部９ｂとなっている。この端子接続部９には、電圧検出用端子７ａが接続され、各セパレータ８の電圧を検出して燃料電池セルの電圧を検出するように構成されている。
【０００９】
ところで、上記の特許文献１では、各単セル１間に設けられているＶ溝６に端子７が確実に挿入されない場合がある。例えば、図９に示すように、Ｖ溝６に配置されている端子７に対して隣接する他の端子７が接触してしまい、前記端子７の接続異常が発生するおそれがある。
【００１０】
一方、上記の特許文献２においても同様に、図１０に示すように、２つの端子接続部９が１つの端子７ａに接触してしまい、前記端子７ａの接続異常が発生するおそれがある。
【００１１】
そこで、一般的には、電圧検出装置（セル電圧監視モニタ）を燃料電池スタックに取り付け、この燃料電池スタックに燃料ガス及び酸化剤ガスを流して発電させ、燃料電池の開回路電圧（ＯＣＶ）を検出することによって、前記電圧検出装置の取り付け異常の有無を確認する方法が行われている。ここで、開回路電圧とは、負荷をかけない状態（電流を流さない状態）でのカソード側電極とアノード側電極との間の電位差をいう。
【００１２】
【特許文献１】特開２００２−１８４４３４号公報（図４）
【特許文献２】特開２００３−１１５３０４号公報（図３）
【発明の開示】
【発明が解決しようとする課題】
【００１３】
上記の従来方法では、端子７、７ａの接続異常を検出するために燃料ガス及び酸化剤ガスが供給されている。従って、接続異常が検出された際には、単セル同士及びセパレータ間の短絡を防止するために、不活性ガスを用いて燃料電池スタック内をパージした後、端子７、７ａを付け替える必要がある。このため、電圧検出装置の接続異常が発生した際の段取り工程数が多大となり、作業全体が煩雑で且つ時間のかかるものとなるとともに、特に燃料ガスがパージされて不経済であるという問題がある。
【００１４】
また、電圧検出装置を用いてセル電圧を検出する際に、正常でない発電セルが検出されると、不活性ガスを用いて燃料電池スタックをパージした後、前記燃料電池スタックを分解して異常な発電セルを取り出す作業が必要である。これにより、発電セルの取り換え作業が煩雑化するとともに、不経済であるという問題がある。
【００１５】
本発明はこの種の問題を解決するものであり、電圧検出装置の接続異常を確実に検出するとともに、組み替え工数を大幅に削減して電圧検出作業を迅速且つ効率的に遂行することが可能な燃料電池用電圧検出装置の接続異常検出方法を提供することを目的とする。
【００１６】
また、本発明は、燃料電池の異常を容易に検出するとともに、異常発生時に、前記燃料電池を迅速且つ確実に分解及び再組み付けすることが可能な燃料電池の異常検出方法を提供することを目的とする。
【課題を解決するための手段】
【００１７】
本発明に係る燃料電池用電圧検出装置の接続異常検出方法では、電圧検出装置の検出端子をセパレータに接触させた状態で、アノード側電極に不活性ガスを供給する一方、カソード側電極に空気を供給する工程と、前記電圧検出装置により発電セルの開回路電圧を検出する工程と、検出された前記開回路電圧の異常の有無から前記検出端子の接続異常の有無を検出する工程とを有している。
【００１８】
また、検出された開回路電圧の少なくとも１つが設定電圧以下である際、異常であると判定することが好ましい。さらに、検出された開回路電圧が所定の時間内に所定の電圧値以下になる際、異常であると判定することが好ましい。
【００１９】
さらにまた、本発明に係る燃料電池の異常検出方法では、アノード側電極に不活性ガスを供給する一方、カソード側電極に空気を供給しながら、前記発電セルの開回路電圧を検出することにより、該発電セルの異常の有無を検出している。
【発明の効果】
【００２０】
本発明では、アノード側電極に不活性ガスを供給する一方、カソード側電極に空気を供給した状態で、開回路電圧を検出するため、検出される電圧が微弱となる。従って、発電セルやセパレータが短絡しても、多大な電流が流れることがない。これにより、電圧検出装置の接続異常が検出された際に、燃料ガスのパージが不要になって、組み替え工数を大幅に削減することができ、電圧検出作業を迅速且つ効率的に遂行することが可能になる。しかも、大量の燃料ガスが廃棄されることがなく、経済的である。
【００２１】
また、本発明では、燃料電池の異常を容易に検出するとともに、異常発生時に、前記燃料電池を迅速且つ確実に分解及び再組み付けすることができる。しかも、燃料ガスのパージが不要になって、経済的である。
【発明を実施するための最良の形態】
【００２２】
図１は、本発明を実施するための設備１０の概略構成図である。この設備１０は、燃料電池１２を備え、前記燃料電池１２は、複数の発電セル１４を矢印Ａ方向に積層してスタックを構成する（図１及び図２参照）。
【００２３】
発電セル１４の積層方向両端部には、負極側ターミナルプレート１６ａ及び正極側ターミナルプレート１６ｂと、絶縁プレート１８ａ、１８ｂと、エンドプレート２０ａ、２０ｂとが、順次、設けられる。エンドプレート２０ａ、２０ｂが図示しないタイロッド等によって締め付けられることにより、燃料電池１２が組み付けられる。
【００２４】
図３に示すように、発電セル１４は、電解質膜・電極構造体２２と、この電解質膜・電極構造体２２を挟持する第１及び第２金属セパレータ２４、２６とを備える。第１及び第２金属セパレータ２４、２６には、後述する連通孔の周囲及び電極面（発電面）の外周を覆って、シール材が一体成形されている。
【００２５】
第２金属セパレータ２６には、矢印Ｃ方向上部一端側に位置して端子接続部２８が一体的に設けられる。この端子接続部２８には、シール材が設けられていない。なお、第１及び第２金属セパレータ２４、２６に代替して、例えば、カーボンセパレータを使用してもよい。
【００２６】
発電セル１４の矢印Ｂ方向の一端縁部には、積層方向である矢印Ａ方向に互いに連通して、酸化剤ガス、例えば、酸素含有ガスを供給するための酸化剤ガス供給連通孔３０ａ、冷却媒体を排出するための冷却媒体排出連通孔３２ｂ、及び燃料ガス、例えば、水素含有ガスを排出するための燃料ガス排出連通孔３４ｂが、矢印Ｃ方向（鉛直方向）に配列して設けられる。
【００２７】
発電セル１４の矢印Ｂ方向の他端縁部には、矢印Ａ方向に互いに連通して、燃料ガスを供給するための燃料ガス供給連通孔３４ａ、冷却媒体を供給するための冷却媒体供給連通孔３２ａ、及び酸化剤ガスを排出するための酸化剤ガス排出連通孔３０ｂが、矢印Ｃ方向に配列して設けられる。
【００２８】
電解質膜・電極構造体２２は、例えば、パーフルオロスルホン酸の薄膜に水が含浸された固体高分子電解質膜３６と、該固体高分子電解質膜３６を挟持して保持するアノード側電極３８及びカソード側電極４０とを備える（図２及び図３参照）。
【００２９】
アノード側電極３８及びカソード側電極４０は、カーボンペーパ等からなるガス拡散層と、白金合金が表面に支持された多孔質カーボン粒子を前記ガス拡散層の表面に一様に塗布した電極触媒層とをそれぞれ有する。電極触媒層は、固体高分子電解質膜３６の両面に接合されている。
【００３０】
図３に示すように、第１金属セパレータ２４の電解質膜・電極構造体２２に向かう面２４ａには、酸化剤ガス供給連通孔３０ａと酸化剤ガス排出連通孔３０ｂとに連通する酸化剤ガス流路４６が設けられる。酸化剤ガス流路４６は、例えば、矢印Ｂ方向に延びて存在する複数の溝部（図示せず）とカソード側電極４０との間に形成される。
【００３１】
第２金属セパレータ２６の電解質膜・電極構造体２２に向かう面２６ａには、燃料ガス供給連通孔３４ａと燃料ガス排出連通孔３４ｂとに連通する燃料ガス流路４８が形成される。この燃料ガス流路４８は、例えば、矢印Ｂ方向に延びて存在する複数の溝部とアノード側電極３８との間に形成される。
【００３２】
第１金属セパレータ２４の面２４ｂと第２金属セパレータ２６の面２６ｂとの間には、冷却媒体供給連通孔３２ａと冷却媒体排出連通孔３２ｂとに連通する冷却媒体流路５０が形成される。この冷却媒体流路５０は、第１金属セパレータ２４に設けられる複数の溝部と、第２金属セパレータ２６に設けられる複数の溝部とを重ね合わせることにより、矢印Ｂ方向に延びて一体的に構成される。
【００３３】
図１に示すように、設備１０は、燃料電池１２のセル電圧を検出する電圧検出装置６０を備える。電圧検出装置６０は、燃料電池１２に装着される電圧検出部６２と、前記電圧検出部６２で検出されるセル電圧を表示する電圧表示部（電圧モニタ）６４とを設ける。図４に示すように、電圧検出部６２は、各発電セル１４を構成する第２金属セパレータ２６の端子接続部２８に電気的に接続される複数の電圧検出用端子６６を備える。
【００３４】
図１に示すように、設備１０は、燃料電池１２を構成する燃料ガス供給連通孔３４ａに燃料ガスに代えて不活性ガス、例えば、窒素ガスを供給するための不活性ガス供給部７０と、前記燃料電池１２を構成する酸化剤ガス供給連通孔３０ａに空気を供給するための空気供給部７２とを備える。なお、不活性ガスとして、不活性ガスにより十分に希釈された、例えば、２％以下程度に希釈された水素ガスを使用してもよい。
【００３５】
不活性ガス供給部７０は、燃料ガス供給連通孔３４ａに連通する不活性ガス供給流路７４を備える。この不活性ガス供給流路７４には、高圧窒素を貯留する窒素タンク７６と、前記窒素タンク７６から供給される窒素ガスの圧力を減圧するレギュレータ７８とが配設される。
【００３６】
空気供給部７２は、酸化剤ガス供給連通孔３０ａに連通する空気供給流路８２を備え、この空気供給流路８２には、コンプレッサ（又はスーパーチャージャ）８４が配設される。
【００３７】
次いで、電圧検出装置６０の接続異常検出方法について説明する。
【００３８】
先ず、複数の発電セル１４を矢印Ａ方向に積層するとともに、前記発電セル１４の積層方向両端部には、負極側ターミナルプレート１６ａ及び正極側ターミナルプレート１６ｂと、絶縁プレート１８ａ、１８ｂと、エンドプレート２０ａ、２０ｂとが、順次、設けられる。そして、エンドプレート２０ａ、２０ｂが図示しないタイロッド等によって締め付けられることにより、燃料電池１２が組み付けられる。その際、負極側ターミナルプレート１６ａ及び正極側ターミナルプレート１６ｂには、外部負荷が電気的に接続されていない。
【００３９】
この燃料電池１２に電圧検出装置６０が装着された状態で、燃料電池１２を構成する燃料ガス供給連通孔３４ａに不活性ガス供給部７０が連通するとともに、前記燃料電池１２を構成する酸化剤ガス供給連通孔３０ａに空気供給部７２が連通する。
【００４０】
そこで、不活性ガス供給部７０では、窒素タンク７６から不活性ガス供給流路７４に窒素ガスが供給され、この窒素ガスは、レギュレータ７８を介して所定の圧力に調整された後、燃料電池１２の燃料ガス供給連通孔３４ａに供給される。従って、窒素ガスは、燃料ガス供給連通孔３４ａから各発電セル１４の燃料ガス流路４８を通って燃料ガス排出連通孔３４ｂに排出される。
【００４１】
一方、空気供給部７２では、コンプレッサ８４の作用下に空気供給流路８２に空気が供給されると、この空気は、燃料電池１２の酸化剤ガス供給連通孔３０ａに供給される。この空気は、酸化剤ガス供給連通孔３０ａから各発電セル１４の酸化剤ガス流路４６を通って酸化剤ガス排出連通孔３０ｂに排出される。
【００４２】
上記のように、燃料ガス供給連通孔３４ａに窒素ガスが供給される一方、酸化剤ガス供給連通孔３０ａに空気が供給されると、各発電セル１４で発電が行われて微弱な電圧（開回路電圧）が発生する。
【００４３】
このため、各発電セル１４に発生する電圧は、各第２金属セパレータ２６の端子接続部２８に電気的に接続される複数の電圧検出用端子６６を介して電圧検出部６２により検出され、電圧表示部６４に表示される。そして、各発電セル１４から発生する電圧が、例えば、図５に示されるとともに、検出された電圧と時間との関係が、例えば、図６に示される。
【００４４】
その際、いずれかの発電セル１４を構成する第２金属セパレータ２６の端子接続部２８が、隣接する端子接続部２８と一緒に同一の電圧検出用端子６６に電気的に接続されると、接続異常が発生した発電セル１４（セルＮｏ．ｎ）の電圧（開回路電圧）が低下する（図５参照）。従って、検出された各発電セル１４の電圧の中、少なくとも１つの電圧が設定電圧Ｖ１以下になる際、端子接続部２８と電圧検出用端子６６との接続異常が発生していると判定される。
【００４５】
同様に、図６に示すように、検出された電圧が、所定の時間内に所定の電圧値Ｖ２以下になる際、端子接続部２８と電圧検出用端子６６との接続異常が発生していると判定される。
【００４６】
上記のように、発電セル１４を構成する端子接続部２８と電圧検出用端子６６との接続異常が検出されると、不活性ガス供給部７０及び空気供給部７２の駆動が停止される。次に、電圧検出部６２が燃料電池１２から一旦取り外され、各第２金属セパレータ２６の端子接続部２８が調整された後、再度、前記燃料電池１２に装着される。
【００４７】
この場合、本実施形態では、燃料ガス供給連通孔３４ａに不活性ガス、例えば、窒素ガスが供給されるとともに、酸化剤ガス供給連通孔３０ａに空気が供給された状態で、開回路電圧を検出している。このため、各発電セル１４では、検出される電圧が微弱となり、前記発電セル１４や第１及び第２金属セパレータ２４、２６が短絡しても、多大な電流が流れることがない。
【００４８】
これにより、電圧検出部６２の接続異常が検出された際に、従来の不活性ガスによるパージが不要になって、組み替え工数を大幅に削減することができ、電圧検出作業を迅速且つ効率的に遂行することが可能になるという効果が得られる。しかも、燃料ガスが廃棄されることがなく、経済的である。
【００４９】
次いで、電圧検出部６２が燃料電池１２に良好に接続されたことが検出されると、この燃料電池１２が図示しない外部負荷に接続されて通常の発電が行われる。すなわち、図２に示すように、燃料電池１２内では、複数の発電セル１４に水素含有ガス等の燃料ガス、空気等の酸素含有ガスである酸化剤ガス、及び純水やエチレングリコールやオイル等の冷却媒体が供給される。
【００５０】
図３に示すように、各発電セル１４では、燃料ガス供給連通孔３４ａから第２金属セパレータ２６の燃料ガス流路４８に燃料ガスが導入され、この燃料ガスが電解質膜・電極構造体２２を構成するアノード側電極３８に沿って移動する。一方、酸化剤ガスは、酸化剤ガス供給連通孔３０ａから第１金属セパレータ２４の酸化剤ガス流路４６に導入され、電解質膜・電極構造体２２を構成するカソード側電極４０に沿って移動する。
【００５１】
従って、電解質膜・電極構造体２２では、アノード側電極３８に供給される燃料ガスと、カソード側電極４０に供給される酸化剤ガスとが、電極触媒層内で電気化学反応により消費され、発電が行われる。
【００５２】
次いで、アノード側電極３８に供給されて消費された燃料ガスは、燃料ガス排出連通孔３４ｂに沿って矢印Ａ方向に排出される。同様に、カソード側電極４０に供給されて消費された酸化剤ガスは、酸化剤ガス排出連通孔３０ｂに沿って矢印Ａ方向に排出される。
【００５３】
さらに、冷却媒体供給連通孔３２ａに供給された冷却媒体は、第１及び第２金属セパレータ２４、２６間の冷却媒体流路５０に導入された後、矢印Ｂ方向に沿って流通する。この冷却媒体は、電解質膜・電極構造体２２を冷却した後、冷却媒体排出連通孔３２ｂから排出される。
【００５４】
ところで、本実施形態では、設備１０を使用して燃料電池１２を構成する発電セル１４の異常検出を行うことができる。
【００５５】
具体的には、燃料電池１２に電圧検出装置６０が装着された状態で、この燃料電池１２に不活性ガス供給部７０及び空気供給部７２が連結される。そして、不活性ガス供給部７０から燃料電池１２の燃料ガス供給連通孔３４ａに窒素ガスが供給されるとともに、空気供給部７２から前記燃料電池１２の酸化剤ガス供給連通孔３０ａに空気が供給され、各発電セル１４に微弱電圧を発生させる。
【００５６】
その際、電圧検出部６２を介して、発電セル１４の開回路電圧を検出し、検出された前記開回路電圧が設定電圧以下である発電セル１４、又は検出された前記開回路電圧が所定の時間内に所定の電圧値以下になった発電セル１４を、異常と判定する。
【００５７】
燃料電池１２中に異常な発電セル１４が存在していることが検出されると、不活性ガス供給部７０及び空気供給部７２の駆動が停止され、前記燃料電池１２の分解が開始される。すなわち、図示しないタイロッド等が弛緩されて、燃料電池１２の締め付け荷重が開放された後、異常な発電セル１４が前記燃料電池１２から取り出されて、新たな発電セル１４が組み付けられる。
【００５８】
この場合、発電セル１４の異常の有無を検出する際に、燃料ガス供給連通孔３４ａに不活性ガス、例えば窒素ガスが供給されており、各発電セル１４で検出され、電圧（開回路電圧）が微弱となる。これにより、発電セル１４に異常が検出された際、従来の不活性ガスよるパージが不用になって、前記発電セル１４の交換作業工数が大幅に削減され、良好な燃料電池１２を迅速且つ効率的に組み立てることが可能になるという効果が得られる。しかも、燃料ガスが廃棄されることがなく、経済的であるという利点がある。
【００５９】
なお、本実施形態では、第１及び第２金属セパレータ２４、２６を含む燃料電池１２を用いて説明したが、これに限定されるものではない。例えば、図７に示す特許文献１に係る単セル１を構成するセパレータ５を用いても、同様の効果が得られる。
【図面の簡単な説明】
【００６０】
【図１】本発明を実施するための設備の概略構成図である。
【図２】前記設備に使用される燃料電池の概略断面図である。
【図３】前記燃料電池を構成する発電セルの分解斜視説明図である。
【図４】前記燃料電池及び電圧検出部の説明図である。
【図５】発電セル毎の開回路電圧の説明図である。
【図６】時間の経過と開回路電圧との関係説明図である。
【図７】特許文献１のセル電圧検出構造の説明図である。
【図８】特許文献２のセル電圧検出構造の説明図である。
【図９】前記特許文献１の接続異常の説明図である。
【図１０】前記特許文献２の接続異常の説明図である。
【符号の説明】
【００６１】
１０…設備                          １２…燃料電池
１４…発電セル                      １６ａ…負極側ターミナルプレート
１６ｂ…正極側ターミナルプレート    １８ａ、１８ｂ…絶縁プレート
２０ａ、２０ｂ…エンドプレート      ２２…電解質膜・電極構造体
２４、２６…金属セパレータ          ２８…端子接続部
３０ａ…酸化剤ガス供給連通孔        ３０ｂ…酸化剤ガス排出連通孔
３２ａ…冷却媒体供給連通孔          ３２ｂ…冷却媒体排出連通孔
３４ａ…燃料ガス供給連通孔          ３４ｂ…燃料ガス排出連通孔
３６…固体高分子電解質膜            ３８…アノード側電極
４０…カソード側電極                ４６…酸化剤ガス流路
４８…燃料ガス流路                  ５０…冷却媒体流路
６０…電圧検出装置                  ６２…電圧検出部
６４…電圧表示部                    ６６…電圧検出用端子
７０…不活性ガス供給部              ７２…空気供給部
【図１】
2005183308.tif 000003
【図２】
2005183308.tif 000004
【図３】
2005183308.tif 000005
【図４】
2005183308.tif 000006
【図５】
2005183308.tif 000007
【図６】
2005183308.tif 000008
【図７】
2005183308.tif 000009
【図８】
2005183308.tif 000010
【図９】
2005183308.tif 000011
【図１０】
2005183308.tif 000012